(57)【特許請求の範囲】
【請求項１】
ファクシミリ機能とコピー機能とを有し、
感光体ドラムと、
該感光体ドラム上に形成されたトナー画像を記録紙上に転写する転写器と、
記録紙を収容する第１記録紙カセット及び第２記録紙カセットと、
送受信に関する通信管理レポート、送信先の短縮ダイヤルの一覧表、画像形成装置の設定状態の一覧表に関するリスト情報を記録紙に記録させるためのリストプリント機能と
を備えた画像形成装置において、
前記第２記録紙カセットは、該第２記録紙カセットから前記転写器まで記録紙を搬送する搬送経路が、前記第１記録紙カセットから前記転写器まで記録紙を搬送する搬送経路よりも長くなる位置に配置されており、
前記コピー機能に基づいてコピーを実施する場合には前記第１記録紙カセットの選択を優先させ、前記ファクシミリ機能に基づいて画データを受信した場合には前記第２記録紙カセットの選択を優先させ、前記リストプリント機能に基づいて前記リスト情報を出力する場合には前記第１記録紙カセットの選択を優先させることを特徴とする画像形成装置。
【請求項２】
前記第１記録紙カセット及び前記第２記録紙カセットのうち何れか一方のカセットは、他方のカセットより記録紙を多く収容可能なカセットであることを特徴とする請求項１に記載の画像形成装置。
【請求項３】
画像の種別と前記第１記録紙カセット及び前記第２記録紙カセットに収容される記録紙の種別とに基づいて前記第１記録紙カセット及び前記第２記録紙カセットのうち何れか一方のカセットを選択する際の優先順位が異なることを特徴とする請求項１又は請求項２に記載の画像形成装置。
【発明の詳細な説明】
【０００１】
【発明の属する技術分野】
本発明は、ファクシミリ機能を備えたコピー装置、又はコピー機能を備えたファクシミリ装置、いわゆる複合機に代表される画像形成装置に関するものである。
【０００２】
【従来の技術】
従来より、記録部には、複数の記録紙カセットが設けられ、その記録紙カセットには、各種サイズの記録紙が収容されるように構成されている。加えて、近年では、頻繁に使用される記録紙を大量に収容できる記録紙カセットを備えたものも登場しつつある。
【０００３】
【発明が解決しようとする課題】
しかしながら、大量の記録紙を収容する記録紙カセットは、一般的に装置の下方に位置する。このため、記録紙が記録紙カセットから記録部の転写器に達するまで時間、すなわち記録紙の搬送に時間がかかる。その結果、コピーを行う場合に、下方に位置する記録紙カセットの記録紙が選択されると、コピーに時間がかかる。
【０００４】
一方、受信画データを記録紙に記録する場合において、記録中に記録紙がなくなると、それ以後の受信画データを記録紙に記録することができなくなる。加えて、メモリ受信機能を備えている場合であっても、画像メモリの容量を越えると、画データを受信することができない。
【０００５】
本発明は、このような問題点に着目してなされたものであって、その目的は、画像の種別に基づいて、最適な記録紙カセットを選択することが可能な画像形成装置を提供することにある。
【０００６】
【課題を解決するための手段】
上記の目的を達成するために、請求項１に記載の発明では、ファクシミリ機能とコピー機能とを有し、感光体ドラムと、該感光体ドラム上に形成されたトナー画像を記録紙上に転写する転写器と、記録紙を収容する第１記録紙カセット及び第２記録紙カセットと、送受信に関する通信管理レポート、送信先の短縮ダイヤルの一覧表、画像形成装置の設定状態の一覧表に関するリスト情報を記録紙に記録させるためのリストプリント機能とを備えた画像形成装置において、前記第２記録紙カセットは、該第２記録紙カセットから前記転写器まで記録紙を搬送する搬送経路が、前記第１記録紙カセットから前記転写器まで記録紙を搬送する搬送経路よりも長くなる位置に配置されており、前記コピー機能に基づいてコピーを実施する場合には前記第１記録紙カセットの選択を優先させ、前記ファクシミリ機能に基づいて画データを受信した場合には前記第２記録紙カセットの選択を優先させ、前記リストプリント機能に基づいて前記リスト情報を出力する場合には前記第１記録紙カセットの選択を優先させることを要旨とする。
【０００７】
請求項２に記載の発明では、請求項１に記載の画像形成装置において、前記第１記録紙カセット及び前記第２記録紙カセットのうち何れか一方のカセットは、他方のカセットより記録紙を多く収容可能なカセットであることを要旨とする。
【０００９】
請求項３に記載の発明では、請求項１又は請求項２に記載の画像形成装置において、画像の種別と前記第１記録紙カセット及び前記第２記録紙カセットに収容される記録紙の種別とに基づいて前記第１記録紙カセット及び前記第２記録紙カセットのうち何れか一方のカセットを選択する際の優先順位が異なることを要旨とする。
【００１０】
なお、以下に述べる発明の実施の形態において、特許請求の範囲または課題を解決するための手段に記載の「画像形成装置」は複合機１に相当し、同じく「記録紙カセット」は第１及び第２記録紙カセット７１，７２に相当し、同じく「制御手段」はＭＰＵ１１、ＲＯＭ１２及びＲＡＭ１３に相当する。
【００１１】
【発明の実施の形態】
以下に、本発明に係る画像形成装置を複合機に具体化した一実施形態を図面を用いて説明する。
【００１２】
図１に示すように、複合機１は、ＭＰＵ１１、ＲＯＭ１２、ＲＡＭ１３、読取部１４、記録部１５、操作部１６、表示部１７、画像メモリ１８、コーデック１９、モデム２０及びＮＣＵ２１から構成されるとともに、各部１１〜２１がバス２２を介してそれぞれ接続されている。
【００１３】
ＭＰＵ１１は、複合機１を構成する各部を制御する。ＲＯＭ１２は、複合機１を制御するためのプログラムを記憶する。また、ＲＯＭ１２は、ジャムが発生したときに表示するためのメッセージを記憶する。ＲＡＭ１３は、複合機１に関する各種情報を一時的に記憶する。
【００１４】
読取部１４は、原稿上の画像データを読み取って、白黒２値のイメージデータを出力する。また、読取部１４は、原稿を検出するための原稿センサ１４ａを備えている。
【００１５】
記録部１５は、電子写真方式のプリンタよりなり、受信画データの記録動作やコピー動作において、受信された画データあるいは読取部１４にて読み取られた原稿の画データを記録紙上に記録する。
【００１６】
ここで、記録部１５について、その具体的な構成を記録プロセスに従って詳細に説明する。
感光体ドラム３０は、回転可能に軸支され、その外周面には光導電膜３１が形成されている。
【００１７】
帯電器４０は、導電性刷毛体を植設したブラシローラで構成されている。帯電器４０は、感光体ドラム３０の光導電膜３１を所定電位に一様帯電させる。露光器５０は、ＬＥＤアレイ５１で構成されている。コーデック５２は、画像メモリ１８に記憶された画データを２値化データに復号する。そして、露光器５０は、コーデック５２で２値化されたデータに基づいて、感光体ドラム３０の光導電膜３１に光を照射して静電潜像を形成する。
【００１８】
現像器ユニット６０は、トナーを収容するトナーケース６１と、そのトナーケース６１内の下部に配置されて所定電圧が供給される供給ローラ６２と、その供給ローラ６２と感光体ドラム３０との間に位置するようにトナーケース６１の下端開口部に配置されて所定電圧が供給される現像ローラ６３とを備えている。これら供給ローラ６２及び現像ローラ６３によって、トナーケース６１から搬送され、且つ所定の極性に帯電されたトナーは、その付与された極性と感光体ドラム３０上に形成された上記静電潜像の電位との差によって、同静電潜像に選択的に付着される。この静電潜像に付着したトナーによって、感光体ドラム３０上にトナー画像が形成される。
【００１９】
トナーケース６１内には、撹拌体６４が回転可能に軸支されている。この撹拌体６４の回転により、トナーケース６１内のトナーが常に撹拌されて、トナーが一様な密度に保たれる。トナーケース６１の底部には、トナーの有無を検出するためのトナーセンサ６５が配設されている。
【００２０】
第１及び第２記録紙カセット７１，７２には、各種サイズの記録紙７３，７４が積層状態で収容されている。第１記録紙カセット７１は、第２記録紙カセット７２の上方に配設されている。第２記録紙カセット７２は、第１記録紙カセット７１の下方に配設され、大量の記録紙７４が収容されている。従って、第１記録紙カセット７１が上段に、大量の記録紙７４を収容する第２記録紙カセット７２が下段に位置することとなる。また、第２記録紙カセット７２から搬送される記録紙７４の方が、第１記録紙カセット７１から搬送される記録紙７３よりも搬送時間がかかることになる。
【００２１】
第１記録紙有無センサ７１ａは、第１記録紙カセット７１に収容される記録紙７３の有無を検出する。第２記録紙有無センサ７２ａは、第２記録紙カセット７２に収容される記録紙７４の有無を検出する。
【００２２】
半月ローラ７５，７６は、第１及び第２記録紙カセット７１，７２に収容されている最上部の記録紙７３，７４を１枚ずつ送り出す。そして、送り出された記録紙７３，７４は、感光体ドラム３０に向かって搬送される。
【００２３】
第１及び第２記録紙センサ８１，８２は、半月ローラ７５，７６によって、第１及び第２記録紙カセット７１，７２から送り出された直後の記録紙７３，７４を検出する。
【００２４】
第３記録紙センサ８３は、現像器ユニット６０の直前の所定位置まで搬送されてきた記録紙７３，７４を検出する。なお、一点鎖線Ｐは、記録紙７３，７４の搬送経路を示している。
【００２５】
転写器９０は、感光体ドラム３０の下部に配設され、所定電位に制御される。そして、転写器９０は、その所定電位とトナー画像の電位との差に基づいて、感光体ドラム３０上のトナー画像を記録紙７３，７４上に転写する。
【００２６】
メモリ除去ブラシ９１は、導電性ブラシよりなり、転写後の感光体ドラム３０上に残留するトナーを掻き乱して、感光体ドラム３０上に一様に分散する。
加熱定着器１００は、感光体ドラム３０の記録紙送り出し側に配設され、記録紙７３，７４が加熱定着器１００の加熱ローラ１０１と加圧ローラ１０２との間に送り込まれることに基づき、記録紙７３，７４上のトナー画像を加熱定着する。なお、本実施形態においては、以上説明した感光体ドラム３０への帯電、露光、現像、及び記録紙７３，７４への転写、加熱定着という一連のプロセスが一単位の記録プロセスとなっている。
【００２７】
第４記録紙センサ８４は、加熱定着器１００の記録紙送り出し側に配設され、記録紙７３，７４が加熱定着器１００を通過したことを検出する。
インターフェース１１０には、第１〜第４記録紙センサ８１〜８４から記録紙７３，７４の到達を示す検出信号が送出される。また、インターフェース１１０には、トナーセンサ６５からトナーの有無を示す検出信号が送出される。さらに、第１及び第２記録紙有無センサ７１ａ，７２ａから第１及び第２記録紙カセット７１，７２に収容される記録紙７３，７４の有無を示す検出信号が送出される。
【００２８】
操作部１６は、「通信（ＦＡＸ）」モード又は「コピー」モードに設定するための通信／コピーキー１６ａ、送受信に関する通信管理レポート、送信先の短縮ダイヤルの一覧表、及び複合機１の設定状態の一覧表等を記録紙に記録させるためのリストプリントキー１６ｂを備えている。また、操作部１６は、電話番号等を入力するためのテンキー（＊，＃キーを含む）、短縮番号の登録又は短縮番号から発信するための短縮キー、原稿の読み取り動作を開始させるためのスタートキー、「通信（ＦＡＸ）」動作又は「コピー」動作を設定するための通信／コピーキー、読み取り時の画質を「標準」、「高画質」、「超高画質」に設定するための画質設定キー等の各種操作キーを備えている。
【００２９】
ＬＣＤ等よりなる表示部１７は、複合機１の動作状態等を示す各種情報の表示を行う。
画像メモリ１８は、受信画データや読取部１４で読み取られて２値化され、コーデック１９で圧縮符号化された画データを一時的に記憶する。コーデック１９は、読取部１４にて読み取られた画データを送信のためにＭＨ，ＭＲ，ＭＭＲ方式等に従って符号化（エンコード）する。また、コーデック１９は、受信画データを復号（デコード）する。
【００３０】
モデム２０は、ＩＴＵ−Ｔ勧告Ｔ．３０に従ったファクシミリ伝送制御手順に基づいて、Ｖ．１７，Ｖ．２７ｔｅｒ，Ｖ．２９等のいずれかに従った送受信データの変調及び復調を行う。ＮＣＵ２１は、電話回線Ｌとの接続を制御するとともに、相手先の電話番号等に対応したダイヤル信号の送出及び着信を検出するための機能を備えている。
【００３１】
次に、第１記録紙カセット７１又は第２記録紙カセット７２を選択するときの動作について、図２に示すフローチャートを用いて説明する。なお、この動作は、ＲＯＭ１２に記憶されたプログラムに基づき、ＭＰＵ１１の制御により実行される。なお、第１記録紙カセット７１と第２記録紙カセット７２とには、同一サイズの記録紙７３，７４が収容されているものとする。
【００３２】
ステップＳ１においては、コピーか否かが判断される。具体的には、通信／コピーキー１６ａの押下と、原稿センサ１４ａからの検出信号とに基づいて判断される。コピーである場合は、ステップＳ２に移行する。一方、コピーでない場合は、ステップＳ５に移行する。
【００３３】
ステップＳ２においては、第１記録紙カセット７１に記録紙７３があるか否かが判断される。具体的には、第１記録紙有無センサ７１ａからの検出信号に基づいて判断される。そして、第１記録紙カセット７１に記録紙７３がある場合は、ステップＳ３に移行する。一方、第１記録紙カセット７１に記録紙７３がない場合は、ステップＳ４に移行する。
【００３４】
ステップＳ３においては、第１記録紙カセット７１から記録紙７３が感光体ドラム３０に向かって搬送される。
ステップＳ４においては、第２記録紙カセット７２から記録紙７４が感光体ドラム３０に向かって搬送される。
【００３５】
ステップＳ５においては、受信画データの記録か否かが判断される。具体的には、ＮＣＵ２１からの検出信号に基づいて、ＦＡＸ受信があったか否かで判断される。そして、受信画データの記録である場合は、ステップＳ６に移行する。一方、受信画データの記録でない場合は、ステップＳ９に移行する。
【００３６】
ステップＳ６においては、第２記録紙カセット７２に記録紙７４があるか否かが判断される。具体的には、第２記録紙有無センサ７２ａからの検出信号に基づいて判断される。そして、第２記録紙カセット７２に記録紙７４がある場合は、ステップＳ７に移行する。一方、第２記録紙カセット７２に記録紙７４がない場合は、ステップＳ８に移行する。
【００３７】
ステップＳ７においては、第２記録紙カセット７２から記録紙７４が感光体ドラム３０に向かって搬送される。
ステップＳ８においては、第１記録紙カセット７１から記録紙７３が感光体ドラム３０に向かって搬送される。
【００３８】
ステップＳ９においては、リストプリントであるか否かが判断される。具体的には、リストプリントキー１６ｂが押下されたか否かに基づいて判断される。そして、リストプリントである場合は、ステップＳ１０に移行する。一方、リストプリントでない場合は、この処理を終了する。
【００３９】
ステップＳ１０においては、第１記録紙カセット７１に記録紙７３があるか否かが判断される。具体的には、第１記録紙有無センサ７１ａからの検出信号に基づいて判断される。そして、第１記録紙カセット７１に記録紙７３がある場合は、ステップＳ１１に移行する。一方、第１記録紙カセット７１に記録紙７３がない場合は、ステップＳ１２に移行する。
【００４０】
ステップＳ１１においては、第１記録紙カセット７１から記録紙７３が感光体ドラム３０に向かって搬送される。
ステップＳ１２においては、第２記録紙カセット７２から記録紙７４が感光体ドラム３０に向かって搬送される。
【００４１】
ステップＳ１３においては、搬送されてきた記録紙７３又は記録紙７４に画像が記録される。
以上、詳述したように本実施形態によれば、次のような作用、効果を得ることができる。
【００４２】
（１）複合機１は、第１記録紙カセット７１と第２記録紙カセット７２とを備えている。そして、第１記録紙カセット７１が上段に、大量の記録紙７４を収容する第２記録紙カセット７２が下段に配設されている。そして、画像の種別としてのコピーやリストプリントの場合は、第１記録紙カセット７１が優先的に選択され、画像の種別としての受信画データの記録の場合は、第２記録紙カセット７２が優先的に選択される。従って、画像の種別に基づいて、最適な第１記録紙カセット７１又は第２記録紙カセット７２を選択することができる。
【００４３】
（２）第１記録紙カセット７１が上段に、大量の記録紙７４を収容する第２記録紙カセット７２が下段に配設されている。このため、画像を転写する転写器９０までの搬送経路が長い第２記録紙カセット７２の記録紙７４の方が、画像を転写する転写器９０までの搬送経路が短い第１記録紙カセット７１の記録紙７３よりも搬送時間がかかる。換言すれば、第２記録紙カセット７２から転写器９０までに搬送される記録紙７４の方が、第１記録紙カセット７１から転写器９０までに搬送される記録紙７３よりも搬送時間がかかる。そこで、コピーやリストプリントのように使用者が複合機１の近傍で待機している場合は、記録部１５の上段に位置する第１記録紙カセット７１を優先的に選択させているのである。一方、受信画データの記録のように使用者が複合機１の近傍で待機していない場合は、記録部１５の下段に位置するとともに、大量の記録紙７４を収容する第２記録紙カセット７２を優先的に選択させている。換言すれば、画像の種別と搬送時間とに基づいて、第１記録紙カセット７１又は第２記録紙カセット７２を選択させている。さらに、換言すれば、画像の種別と記録紙７３，７４の搬送経路の長さとに基づいて、第１記録紙カセット７１又は第２記録紙カセット７２を優先的に選択させている。従って、コピーやリストプリントの場合は、素早く記録紙７３に画像を記録することができる。
【００４４】
（３）加えて、受信画データの記録の場合は、大量の記録紙７４を収容する第２記録紙カセット７２が優先的に選択される。換言すれば、画像の種別と記録紙カセットの容量とに基づいて、記録紙７３を収容する第１記録紙カセット７１又は大量の記録紙７４を収容する第２記録紙カセット７２を選択させている。このため、受信画データの記録中に記録紙７４がなくなる可能性が抑制される。従って、画データの受信ができなくなる可能性も抑制することができる。
【００４５】
（４）片面が使用された記録紙（以下、雑用紙）を第１記録紙カセット７１に収容し、両面とも未使用の記録紙（以下、新品用紙）を第２記録紙カセット７２に収容する構成にすれば、コピー又はリストプリントの場合は、第１記録紙カセット７１が優先的に選択されて雑用紙に記録され、受信画データの記録の場合は、第２記録紙カセット７２が優先的に選択されて新品用紙に記録されることとなる。換言すれば、画像の種別と記録紙の種別（雑用紙又は新品用紙）とに基づいて、第１記録紙カセット７１又は第２記録紙カセット７２を優先的に選択させている。このため、コピーやリストプリントの場合は、雑用紙に画像が記録される。従って、雑用紙の使用を促進させることができる。よって、雑用紙のリサイクルをも行うことができる。
【００４６】
なお、前記実施形態は、次のように変更して具体化することも可能である。
・図２に示すステップＳ２又はＳ１０において、第１記録紙カセット７１に記録紙７３がない場合であって、第２記録紙カセット７２に記録紙７４がない場合は、第１記録紙カセット７１及び第２記録紙カセット７２に記録紙７３，７４がない旨が表示部１７に表示されることは言うまでもない。また、ステップＳ６において、第２記録紙カセット７２に記録紙７４がない場合であって、第１記録紙カセット７１に記録紙７３がない場合も、同様である。
【００４７】
・図１に２点鎖線で示すように、操作部１６に記録部１５の第１記録紙カセット７１又は大量の記録紙７４を収容する第２記録紙カセット７２に切り換えるための切換キー１６ｃを設けても良い。このように構成すれば、コピー又はリストプリントの場合は、第１記録紙カセット７１が優先的に選択されるが、第２記録紙カセット７２に切り換えることができる。また、受信画データの記録の場合は、第２記録紙カセット７２が優先的に選択されるが、第１記録紙カセット７１に切り換えることができる。このため、例えば第１記録紙カセット７１に雑用紙が、第２記録紙カセット７２に新品用紙が収容されているような構成の場合は、切換キー１６ｃを用いて、任意に第１記録紙カセット７１又は第２記録紙カセット７２を選択することができる。すなわち、例えば通常のコピー又はリストプリントの場合は雑用紙に、顧客等にコピーを渡す場合は新品用紙に、それぞれ用途に併せて第１記録紙カセット７１又は第２記録紙カセット７２を選択することができる。
【００４８】
・前記実施形態では、２つの記録紙カセット、すなわち第１及び第２記録紙カセット７１，７２を備えた複合機１の場合について説明したが、３つ以上の記録紙カセットを備えた複合機１に適用しても良い。具体的には、例えば「Ｂ５サイズ」、「Ａ４サイズ」、「Ｂ４サイズ」、「Ａ３サイズ」を収容する記録紙カセットであっても良い。さらに、これらに加えて最も頻繁に使用される「Ａ４サイズ」の記録カセットを備えた複合機１に適用しても良い。
【００４９】
・前記実施形態では、コピーやリストプリントの場合は、第１記録紙カセット７１を優先的に選択させ、受信画データの記録の場合は、第２記録紙カセット７２を優先的に選択させる構成について説明したが、設定によって、前記構成とは逆の記録紙カセットを優先的に選択させる構成にしても良い。
【００５０】
・前記実施形態では、同一サイズの記録紙が第１及び第２記録紙カセット７１，７２に収容されている場合を想定して説明したが、異なるサイズの記録紙が第１及び第２記録紙カセット７１，７２に収容されている場合にも適用しても良い。
【００５１】
・単なるコピー装置に適用しても良い。なお、この場合は、コピーに時間がかかっても良いか否かで、第１記録紙カセット７１又は第２記録紙カセット７２を選択することとなる。
【００５２】
・雑用紙を大量の記録紙を収容する第２記録紙カセット７２に収容し、新品用紙を第１記録紙カセット７１に収容する構成にしても良い。このように構成すれば、コピー又はリストプリントの場合は新品用紙に記録され、受信画データの場合は雑用紙に記録されることとなる。
【００５３】
さらに、前記実施形態等より把握される請求項以外の技術的思想について、以下にそれらの効果と共に記載する。
〔１〕ファクシミリ機能を備えた画像形成装置において、記録紙を収容する複数の記録紙カセットと、受信画データの記録と他の記録とで記録紙カセットを選択する優先順位が異なる制御手段とを備えた画像形成装置。
【００５４】
このように構成すれば、画像の種別に基づいて、最適な記録紙カセットを選択することができる。
〔２〕制御手段は、画像の種別と記録紙の搬送経路の長さとに基づいて、記録紙カセットを選択する優先順位が異なる画像形成装置。
【００５５】
このように構成すれば、画像の種別と記録紙の搬送経路の長さとに基づいて、最適な記録紙カセットを選択することができる。
【００５９】
〔５〕請求項１または前記〔１〕に記載の画像形成装置において、複数の記録紙カセットのうち、一の記録紙カセットには使用済みの記録紙を収容し、他の一の記録紙カセットには新品の記録紙を収容し、制御手段は、受信画データを記録する場合は、新品の記録紙を収容する記録紙カセットを優先的に選択する画像形成装置。
【００６０】
このように構成すれば、受信画データの記録以外の記録の場合は、使用済みの記録紙に画像が記録される。従って、使用済みの記録紙の使用を促進させることができる。よって、使用済みの記録紙のリサイクルをも行うことができる。
【００６１】
なお、本明細書中において、「画像の種別」とは、受信画像、コピー画像、及びリストプリント画像を言う。また、リストプリントとは、送受信に関する通信管理レポート、送信先の短縮ダイヤルの一覧表、及び複合機１の設定状態の一覧表等を記録紙に記録させることを言う。
【００６２】
【発明の効果】
本発明は、以上のように構成されているため、次のような効果を奏する。
請求項１に記載の発明によれば、コピーの場合は、素早く記録紙に画像を記録することができる。さらに、リストプリントの場合は、素早く記録紙に画像を記録することができる。
【００６３】
請求項２に記載の発明によれば、請求項１に記載の発明の効果に加えて、コピーの時又は受信する画データの記録中に記録紙がなくなる可能性を抑制することができる。
【００６５】
請求項３に記載の発明によれば、請求項１又は請求項２に記載の発明の効果に加えて、画像の種別と記録紙カセットに収容される記録紙の種別とに基づいて、最適な記録紙カセットを選択することができる。
【図面の簡単な説明】
【図１】複合機の構成を示すブロック図。
【図２】第１記録紙カセット又は第２記録紙カセットを選択するときの動作を示すフローチャート。
【符号の説明】
１…画像形成装置としての複合機、１１…制御手段を構成するＭＰＵ、１２…制御手段を構成するＲＯＭ、１３…制御手段を構成するＲＡＭ、７１…記録紙カセットとしての第１記録紙カセット、７２…記録紙カセットとしての第２記録紙カセット、７３，７４…記録紙。
【図１】
0003565113.tif 000002
【図２】
0003565113.tif 000003